(57)【特許請求の範囲】
【請求項１】
導光板と、
前記導光板の上に重ねて配置された光学シートと、
前記光学シートの上に配置され、第１の基板と第２の基板とが液晶層を封入して貼り合わされた液晶表示パネルと、
を備え、
前記液晶表示パネルは、前記第１の基板が前記第２の基板の一端から外側に張り出した張り出し領域を有し、前記液晶表示パネルの前記張り出し領域の背面側に、前記導光板に対して前記光学シートの厚さ方向と直交する方向における前記光学シートの移動を規制する移動規制手段を備えていることを特徴とする電気光学装置。
【請求項２】
導光板と、
前記導光板の４つの外形辺のうち１つの外形辺と対面する位置に配置された複数の光源と、
前記導光板の上に重ねて配置された光学シートと、
前記光学シートの上に配置された液晶表示パネルと、
を備え、
前記導光板に対して前記光学シートの厚さ方向と直交する方向における前記光学シートの移動を規制する移動規制手段を備えており、該移動規制手段は、前記複数の光源が配置される前記導光板の外形辺側において、前記複数の光源の間に対応した位置に配設されていることを特徴とする電気光学装置。
【請求項３】
前記移動規制手段は、前記光学シートと対向する前記導光板の面から前記光学シート側に向けて突出する突起状又は壁状の形状を有し、且つ前記突起状又は前記壁状の部分が前記光学シートの外形辺に当接していることを特徴とする請求項１又は請求項２に記載の電気光学装置。
【請求項４】
前記導光板及び前記光学シートの各々は略矩形状の平面形状を有し、
前記移動規制手段は複数設けられ、
前記複数の移動規制手段は、前記導光板又は前記光学シートの４つの外形辺のうち少なくとも２辺に設けられることを特徴とする請求項１又は請求項２に記載の電気光学装置。
【請求項５】
前記移動規制手段は、前記導光板と前記光学シートが係合する係合部で構成されていることを特徴とする請求項１又は請求項２に記載の電気光学装置。
【請求項６】
前記移動規制手段は、前記導光板に固着された突起状または壁状の部材であることを特徴とする請求項１又は請求項２に記載の電気光学装置。
【請求項７】
前記移動規制手段は、前記導光板の前記１つの外形辺側であって、且つ前記光源より発光された光が出射される出射範囲外の領域に設けられていることを特徴とする請求項２に記載の電気光学装置。
【請求項８】
請求項１乃至請求項７のいずれか一項に記載の電気光学装置を表示部として備えることを特徴とする電子機器。
【発明の詳細な説明】
【技術分野】
【０００１】
本発明は、電気光学装置に好適に用いられる照明装置に関する。
【背景技術】
【０００２】
従来より、携帯電話機、携帯情報端末機等といった各種の電子機器において、画像情報を表示するために液晶表示装置などの電気光学装置が用いられている。
【０００３】
例えば、液晶表示装置として、液晶表示パネルと、液晶表示パネルの背面側に配置された照明装置と、を備える液晶表示装置が一般的に知られている。照明装置は、いわゆる透過型表示をするために、液晶表示パネルを背面側から照明する役割を有する。かかる照明装置は、光源と、光源から出射された光が導入され、その導入された光を液晶表示パネル側に向けて導く導光板と、導光板の上に配置され、導光板より導かれた光を液晶表示パネルに向けて集光や拡散させるなどの働きを有する各種の光学シートと、を備える。
【０００４】
このような液晶表示装置では、導光板及び光学シートに対して、その両者の相対的な位置ずれを防止するための位置ずれ防止手段が設けられていない。そのため、このような液晶表示装置では、導光板の上に光学シートを配置する組立工程において、導光板に対する光学シートの平面方向への位置ずれが全方位に亘って起こり易く、その結果、照明装置の歩留まりが低下してしまうといった課題がある。このような課題に対して、導光板に対する光学シートの平面方向への位置ずれを全方位のうち一方向だけでも防止できれば、照明装置の歩留まりを向上させることができる。
【０００５】
この点に関し、例えば、特許文献１には、光源からの光を液晶表示パネルに導く導光板に対して、光学シートの位置ずれ防止を図ることが可能な液晶表示装置が記載されている。
【０００６】
具体的には、特許文献１に記載の液晶表示装置は、液晶表示パネルと、液晶表示パネルの背面側に配置され、前記液晶表示パネルを照明する面光源ユニットと、液晶表示パネル及び面光源ユニットを収容する樹脂製のフレームと、を備える。面光源ユニットは、光源からの光を液晶表示パネルに導く導光板と、導光板と重ねて配置された光学シートとを有している。光学シートは、一方の短辺から突出しフレームに固定された第１爪部と、他方の短辺から突出した第２爪部と、第２爪部の中央部に形成された長孔とを有している。フレームは、光学シートの第１爪部が嵌まり込む第１係合凹所と、光学シートの第２爪部が嵌まり込む第２係合凹所と、第２係合凹所の底面中央に設けられた円柱形状の位置決め突起とを有している。そして、光学シートの第１爪部はフレームの第１係合凹所に嵌め込まれていると共に、光学シートの第２爪部は、位置決め突起が長孔に挿通された状態で、フレームの第２係合凹所に嵌め込まれている。かかる構成により、光学シートに振動、衝撃等の機械的ストレスが作用した場合でも、光学シートはフレームと係合した第１爪部及び第２爪部により、導光板に対して所定位置に保持され、その結果、光学シートの位置ずれ等に起因する表示不良を低減することができるとされている。
【０００７】
【特許文献１】特開２００１−９１９４７号公報
【発明の開示】
【発明が解決しようとする課題】
【０００８】
ところで、液晶表示装置の種類等によっては、上記した特許文献１のような位置ずれ防止構造を備えたフレームを有しない液晶表示装置も存在する。しかしながら、上記した特許文献１に記載の液晶表示装置では、導光板と光学シートとの相対的な位置ずれ防止を図るためにフレームを有していることが前提となっており、フレームを有しない構成の下では、導光板と光学シートとの相対的な位置ずれを防止することができない。
【０００９】
本発明は、以上の点に鑑みてなされたものであり、フレームの有無に関わらず、導光板に対する光学シートの位置ずれ防止を図ることが可能な照明装置、及びそれを適用した電気光学装置等を提供することを課題とする。
【課題を解決するための手段】
【００１０】
本発明の１つの観点では、電気光学装置は、導光板と、前記導光板の上に重ねて配置された光学シートと、前記光学シートの上に配置され、第１の基板と第２の基板とが液晶層を封入して貼り合わされた液晶表示パネルと、を備え、前記液晶表示パネルは、前記第１の基板が前記第２の基板の一端から外側に張り出した張り出し領域を有し、前記液晶表示パネルの前記張り出し領域の背面側に、前記導光板に対して前記光学シートの厚さ方向と直交する方向における前記光学シートの移動を規制する移動規制手段を備えていることを特徴とする。
また、本発明の他の観点では、電気光学装置は、導光板と、前記導光板の４つの外形辺のうち１つの外形辺と対面する位置に配置された複数の光源と、前記導光板の上に重ねて配置された光学シートと、前記光学シートの上に配置された液晶表示パネルと、を備え、前記導光板に対して前記光学シートの厚さ方向と直交する方向における前記光学シートの移動を規制する移動規制手段を備えており、該移動規制手段は、前記複数の光源が配置される前記導光板の外形辺側において、前記複数の光源の間に対応した位置に配設されていることを特徴とする。
【００１１】
上記の電気光学装置は、光源から発光された光を光学シートに向けて導く導光板と、導光板の上に重ねて配置された光学シートとを備える。光学シートとしては、例えばプリズムシートや拡散シートなどが挙げられる。特に、この電気光学装置では、導光板に対して光学シートの厚さ方向と直交する方向（光学シートの平面方向）における光学シートの移動を規制する移動規制手段を備える。これにより、導光板に対する光学シートの平面方向への移動が規制される。その結果、照明装置等を収容するフレームの有無に関わらず、導光板に対する光学シートの位置ずれ防止を図ることができる。
【００１２】
上記の電気光学装置の一つの形態では、前記移動規制手段は、前記光学シートと対向する前記導光板の面から前記光学シート側に向けて突出する突起状又は壁状の形状を有し、且つ前記突起状又は前記壁状の部分が前記光学シートの外形辺に当接している。この態様によれば、導光板に対する光学シートの位置ずれ防止は、光学シートの外形辺と、移動規制手段としての突起状又は前記壁状の部分との当接（係合）によって実現される。
【００１３】
上記の電気光学装置の他の形態では、前記導光板及び前記光学シートの各々は略矩形状の平面形状を有し、前記移動規制手段は、複数設けられ、前記複数の移動規制手段は前記導光板又は前記光学シートの４つの外形辺のうち少なくとも２辺に設けられる。この態様によれば、導光板に対する光学シートの位置ずれ防止は、導光板又は光学シートの４つの外形辺のうち少なくとも２辺に設けられた移動規制手段によって実現される。
【００１４】
上記の電気光学装置の他の態様では、前記移動規制手段は、前記導光板と前記光学シートが係合する係合部で構成されている。つまり、導光板に対する光学シートの位置ずれ防止は、前記導光板の係合部と、それに係合する前記光学シートの係合部とによって実現される。
【００１５】
好適な例では、前記移動規制手段は、前記導光板に固着された突起状または壁状の部材であってもよい。
【００１６】
上記の本発明の他の観点における電気光学装置の態様では、前記光源より発光された光が出射される出射範囲外の領域に設けられている。これにより、少なくとも１つの光源から発光された光が移動規制手段によって遮光されることを防止できる。その結果、少なくとも１つの光源から導光板内に導入される光の量が低減することを防止できる。
【００１７】
本発明によれば、導光板と光学シートとの位置ずれに起因する輝度ムラなどの表示不良の発生を防止できる。
【００１８】
本発明の更に他の観点では、上記の電気光学装置を表示部として備える電子機器を構成することができる。
【発明を実施するための最良の形態】
【００１９】
以下、図面を参照して本発明を実施するための最良の形態について説明する。
【００２０】
[第１実施形態]
（液晶装置の構成）
まず、図１及び図２を参照して、本発明の第１実施形態に係る電気光学装置の一例としての液晶装置１００の構成について説明する。
【００２１】
図１は、第１実施形態に係る液晶装置１００の分解斜視図を示す。図２は、図１の切断線Ａ−Ａ’に沿った液晶装置１００の組立て後の要部断面図を示す。図１に示す一点鎖線は、液晶装置１００の構成要素間における相対的な組み付け位置を示す補助線である。また、図１では、便宜上、図２に示す遮光テープ９及び光源１０の図示を省略している。
【００２２】
第１実施形態に係る液晶装置１００は、主に、電気光学パネルの一例としての液晶表示パネル５０と、液晶表示パネル５０の観察側とは逆側（背面側）に配置された照明装置５１と、を備える。ここで、観察側とは、液晶表示パネル５０の表示画像が観察者によって観察される側を指す。
【００２３】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に電気光学物質の一例としての液晶層４を封入してなる。液晶表示パネル５０の液晶層４側の内面上には、例えば、ブラックマトリクス、カラーフィルタ、電極その他の多くの構成要素がマトリクス状（格子状）又はストライプ状（線状）に形成されるが、図１及び図２では図示を省略している。また、第１の基板１は、第２の基板２の一端から外側へ張り出す張り出し領域１ｈを有する。張り出し領域１ｈの第２の基板２側の面上には、液晶を駆動するためのドライバＩＣ５及びＦＰＣ（Flexible Printed Circuit）６が夫々実装されている。ＦＰＣ６の一端側は、張り出し領域１ｈ上に実装されている一方、ＦＰＣ６の他端側は、張り出し領域１ｈの第２の基板２側とは逆側に折り返されている。折り返されたＦＰＣ６の他端側の面上には、例えばＬＥＤ（Light Emitting Diode）などの、少なくとも１つの光源（本例では複数の光源）１０が取り付けられる。各光源１０は、後述する導光板８の一端側の外形辺（以下、「入光端面」とも称する）８ｅａに対し平行に且つ適宜の間隔をおいて配置されている。なお、第１実施形態では、入射光に対して特定の偏光成分のみを透過させる偏光板を設けていないが、本発明では、液晶表示パネル５０を挟持する位置に一対の偏光板を設けることとしてもよい。その他、本発明では、液晶表示パネル５０は、特定の構成に限定されず、周知の種々の構成を採り得る。
【００２４】
照明装置５１は、液晶表示パネル５０の背面側に配置された光学シート７と、光学シート７の液晶表示パネル５０側とは逆側に配置された導光板８と、を備え、液晶表示パネル５０を背面側から照明する役割を有する。
【００２５】
光学シート（光学部材）７は、導光板８の上に重ねて配置され、導光板８側から出射された光の方向を制御して、その光を液晶表示パネル５０に向けて導く役割を果たす。光学シート７としては、入射光を液晶表示パネル５０側に向けて集束させるプリズムシートや、入射光を液晶表示パネル５０側に向けて拡散させる拡散シートなど各種の既知の光学シートが挙げられる。なお、第１実施形態では、照明装置５１に対して光学シート７を１つだけ設けることとしているが、これに限らず、本発明では、照明装置５１に対して、上記した各種の光学シート７を複数設けることとしてもよい。なお、本発明に関連する光学シート７の詳細な構成については後述する。
【００２６】
導光板８は、透光性素材にて形成されており、各光源１０より発光された光を光学シート２０に向けて導く役割を果たす。導光板１８は、枠状の遮光性を有する両面テープ（以下、「遮光テープ」と称する）９を通じて液晶表示パネル５０に接合されている。なお、本発明に関連する導光板８の詳細な構成については後述する。
【００２７】
以上の構成を有する液晶装置１００では、ＦＰＣ６側から供給される駆動電流によって各光源１０が発光し、その発光した光Ｌが、導光板１３の入光端面８ｅａを通じて導光板８の内部へ入射する。導光板８の内部に入射した光Ｌは、導光板８の下面と上面（出光面）８ｕとの間で反射を繰り返し、その出光面８ｕと光Ｌのなす角が臨界角を超えると、光Ｌは、当該出光面８ｕを透過して光学シート７側へ出光する。そして、光学シート７を透過した光Ｌは、さらに液晶表示パネル５０を透過する。このとき、液晶層４内の液晶分子の配向が制御され、所望の表示画像が観察者によって視認される。
【００２８】
次に、図１乃至図４を参照して、本発明の第１実施形態に係る導光板に対する光学シートの位置ずれ防止構造について説明する。なお、以下では、まず、図３を参照して導光板８の構成について詳述し、続いて、図４を参照して光学シート７の構成について詳述し、その後、図１及び図２を参照して導光板８に対する光学シート７の位置ずれ防止構造について説明する。
【００２９】
（導光板の構成）
まず、本発明に関連する導光板８の構成について詳述する。
【００３０】
図３（ａ）は、図２の観察側から導光板８を見たときの導光板８の平面図を示す。なお、図３（ａ）では、導光板８と各光源１０との相対的な位置関係についても分かるように、各光源１０を図示することにしている。図３（ａ）において、各光源１０から導光板８内に向けて斜めに延びる破線は、各光源１０から導光板８に向けて放射状に発光される光Ｌの外縁部分を示す。図３（ｂ）は、図３（ａ）の切断線Ｂ−Ｂ’に沿った導光板８の断面図を示す。図３（ｃ）は、図３（ａ）の切断線Ｃ−Ｃ’に沿った導光板８の断面図を示す。なお、図３（ｃ）では、各光源１０の図示を省略している。図３（ｄ）は、図３（ａ）の切断線Ｄ−Ｄ’に沿った導光板８の断面図を示す。
【００３１】
導光板８は、例えば略矩形状の平面形状を有し、４つの外形辺（外端面）８ｅａ、８ｅｂ、８ｅｃ、８ｅｄを備える。ここで、その４つの外形辺のうち１つの外形辺８ｅａは、各光源１０と対面する位置に設けられた入光端面とされる。以下では、導光板８の構成を説明するに当たり、導光板８の残りの３つの外形辺を、それぞれ入光端面である外形辺８ｅａを基準に反時計回りに外形辺８ｅｂ、８ｅｃ、８ｅｄとする。
【００３２】
導光板８は、発光部８ａと、傾斜部８ｃと、係合部８１と、を備える。
【００３３】
発光部８ａは、略一定の厚さを有する板状の形状を有する。発光部８ａは、導光板８において、各光源１０から発光された光Ｌを光学シート７に向けて導く有効発光領域（一点鎖線にて囲まれる領域）Ｖ１となっている。なお、導光板８における有効発光領域Ｖ１の外側の領域Ｖ２は、遮光テープ９と重なる位置に配置され、光源１０より発光された光Ｌが光学シート７に向けて導かれない遮光領域となっている。なお、以下では、領域Ｖ２を「遮光領域Ｖ２」とも称する。
【００３４】
傾斜部８ｃは、発光部８ａから外側に向かって厚さが漸次厚くなる形状を有する。傾斜部８ｃは、発光部８ａの外側の領域、即ち遮光領域Ｖ２であって且つ入光端面８ｅａ側に設けられている。傾斜部８ｃの外形辺である入光端面８ｅａの厚さは各光源１０と略同一の厚さに形成されている。これにより、導光板８内に対する各光源１０からの光Ｌの導入量を増やすことができ、液晶表示パネル５０の輝度向上が図られている。
【００３５】
係合部８１は、後述する光学シート７の係合部７１等と係合することで、導光板８に対する光学シート７の位置ずれ防止を図る役割を有する。第１実施形態では、係合部８１は、例えば、第１の係合部８ｂと、複数の第２の係合部８ｄと、を有する。第１の係合部８ｂは、光学シート７と対向する発光部８ａの外側の領域、即ち遮光領域Ｖ２であって、且つ外形辺８ｅｂ、８ｅｃ、８ｅｄの各々から光学シート７側に向けて突出、言い換えれば導光板８の出光面８ｕからの光Ｌの出射方向に向けて突出する壁状の形状を有する。一方、各第２の係合部８ｄは、光学シート７と対向する発光部８ａの外側の領域、即ち遮光領域Ｖ２であって、且つ傾斜部８ｃの外形辺（入光端面）８ｅａから光学シート７側に向けて突出、言い換えれば導光板８の出光面８ｕからの光Ｌの出射方向に向けて突出する突起状の形状を有する。なお、第１実施形態では、導光板８に第２の係合部８ｄを複数設けているが、本発明では、導光板８に第２の係合部８ｄを１つだけ設けることとしてもよい。
【００３６】
（光学シートの構成）
次に、本発明に関連する光学シート７の構成について詳述する。
【００３７】
図４（ａ）は、図２の観察側から光学シート７を見たときの光学シート７の平面図を示す。なお、図４（ａ）では、光学シート７において、導光板８の有効発光領域Ｖ１と重なる領域を一点鎖線にて示す。
【００３８】
光学シート７は、例えば略矩形状の平面形状を有する。光学シート７の４つの外形辺のうち１つの外形辺７ｅには、光学シート７の内側に窪む複数の凹状の係合部７１が適宜の間隔をおいて形成されている。光学シート７を導光板８の上に配置する当たり、各係合７１には、導光板８の各第２の係合部８ｄが嵌め込まれる。なお、第１実施形態では、光学シート７に係合７１を複数設けているが、これに限らず、本発明では、導光板８に第２の係合部８ｄを１つだけ設けることとした場合には、これに嵌り合うように光学シート７に係合部７１を１つだけ設けることとしてもよい。
【００３９】
（導光板に対する光学シートの位置ずれ防止構造）
次に、図１及び図２に戻り、導光板８に対する光学シート７の位置ずれ防止構造について説明する。
【００４０】
光学シート７は、その４つの外形辺のうち３つの外形辺が導光板８の壁状の第１の係合部８ｂに当接された状態で、且つ、導光板８の突起状の各第２の係合部８ｄが光学シート７の各係合部７１に嵌め込まれた状態で、導光板８の上に重ねて配置される。こうして、光学シート７が導光板８の上に取り付けられた状態が図２に示されている。
【００４１】
以上に述べた導光板８に対する光学シート７の取り付け構造を備える照明装置５１によれば、例えば、次のような作用効果を得ることができる。
【００４２】
まず、第１実施形態に係る照明装置５１では、導光板８に対して光学シート７の厚さ方向（重なる方向）と直交する方向（光学シート７の平面方向）における光学シート７の移動を規制する移動規制手段を備えている。ここで、移動規制手段は、導光板８の係合部８１（本例では、壁状の第１の係合部８ｂ及び突起状の複数の第２の係合部８ｄ）と、それらに係合する光学シート７の凹状の係合部７１及び光学シート７の外形辺とにより構成される。かかる構成により、導光板８に対する光学シート７の平面方向への移動が規制される。その結果、例えば照明装置などを収容するフレームの有無に関わらず、導光板８に対する光学シート７の位置ずれ防止を図ることができる。また、かかる照明装置５１を液晶装置１００に適用することにより、導光板８と光学シート７との位置ずれに起因する輝度ムラなどの表示不良の発生を防止できる。
【００４３】
好適な例では、導光板８の作製工程の簡略化などを図る観点より、上記した移動規制手段と導光板８とは一体成形されていることが好ましい。
【００４４】
また、導光板は、通常、有効発光領域Ｖ１の外側に発光に寄与しない領域が設けられる。そこで、第１実施形態に係る照明装置５１では、この点に着目し、移動規制手段を構成する導光板８の係合部８１及び光学シート７の係合部７１を、有効発光領域Ｖ１の外側の領域、即ち遮光領域Ｖ２に設けている。かかる構成によれば、光学シート７の位置ずれ防止を図る為に、移動規制手段を導光板８の外形辺から外側に突出するように設けられた構成と比較して、導光板８及び光学シート７の各外形を小さくすることができる。よって、導光板８及び光学シート７の各外形を大きくすることなく、導光板８に対する光学シート７の平面方向への移動を規制することができる。また、導光板８及び光学シート７の各外形が大きくならないので、これに伴って導光板８及び光学シート７の各コストが増加するのを抑制できる。
【００４５】
また、第１実施形態に係る照明装置５１では、導光板８の４つの外形辺８ｅａ、８ｅｂ、８ｅｃ、８ｅｄのうち１つの外形辺（入光端面）８ｅａと対面する位置には、複数の光源１０が適宜の間隔をおいて配置されており、移動規制手段を構成する、導光板８の各第２の係合部８ｄは、図３（ａ）に示すように、導光板８の入光端面８ｅａ側であって、且つ光源１０の各々より発光された光Ｌが出射される出射範囲外の領域Ａ１〜Ａ５のうち領域Ａ２乃至Ａ４に夫々設けられている。これにより、各光源１０から発光された光Ｌが各第２の係合部８ｄによって遮光されることを防止できる。その結果、各光源１０から導光板８内に導入される光Ｌの量が低減することを防止できる。なお、これに限らず、本発明では、各第２の係合部８ｄは、複数の出射範囲外の領域Ａ１〜Ａ５のうち少なくとも１つの領域に設けることとしてもよい。
【００４６】
[第２実施形態]
次に、図４（ｂ）を参照して、本発明の第２実施形態に係る光学シート７ｘの構成について説明する。図４（ｂ）は、第２実施形態に係る光学シート７ｘの平面構成を示す。なお、図４（ｂ）では、光学シート７ｘにおいて、導光板８の有効発光領域Ｖと重なる領域を一点鎖線にて示す。
【００４７】
光学シート７ｘは、凹凸を有しない矩形状又は方形状の平面形状を有すると共に、導光板８の有効発光領域Ｖ１と略同一の大きさを有する。このため、光学シート７ｘは、導光板８より平面形状が小さい。このため、光学シート７ｘは、導光板８内に収容される。即ち、光学シート７ｘの４つの外形辺のうち３つの外形辺は導光板８の第１の係合部８ｂと当接した状態で、且つ、光学シート７ｘの残りの１つの外形辺８ｅは第２の係合部８ｄと当接した状態で、導光板８上の有効発光領域Ｖ１と重なる位置に配置される。これによれば、移動規制手段は、導光板８の係合部８１（本例では、壁状の第１の係合部８ｂ及び突起状の複数の第２の係合部８ｄ）により構成される。即ち、かかる導光板８の移動規制手段により導光板８に対する光学シート７ｘの平面方向への移動が規制される。その結果、例えば照明装置などを収容するフレームの有無に関わらず、導光板８に対する光学シート７ｘの位置ずれ防止を図ることができる。
【００４８】
また、光学シート７ｘは、導光板８の傾斜部８ｃと重ならない状態で、導光板８上の有効発光領域Ｖ１と重なる位置に配置される。よって、上記した第１実施形態に係る光学シート７より外形を更に小さくすることができ、光学シート７ｘのコストをより下げることができる。
【００４９】
なお、本発明では、光学シートは、以上に述べた構成に限定されず、移動規制手段を通じて位置ずれ防止を図ることが可能な形状であればどのような形状であってもよい。
【００５０】
[第３実施形態]
次に、図５を参照して、本発明の第３実施形態に係る導光板８ｘの構成について説明する。なお、以下では、上記した第１実施形態に係る導光板８と同一の要素については同一の符号を付し、その説明は適宜省略する。
【００５１】
図５（ａ）は、図３（ａ）に対応する、第３実施形態に係る導光板８ｘの平面図を示す。図５（ｂ）は、図５（ａ）の切断線Ｅ−Ｅ’に沿った導光板８ｘの断面図を示す。図５（ｃ）は、図５（ａ）の切断線Ｆ−Ｆ’に沿った導光板８ｘの断面図を示す。図５（ｄ）は、図５（ａ）の切断線Ｇ−Ｇ’に沿った導光板８ｘの断面図を示す。なお、図５において、発光部８ａの外側の領域は遮光領域Ｖ２である。
【００５２】
導光板８ｘは、略矩形状の平面形状を有する。遮光部８ｃを除く発光部８ａの外側の遮光領域Ｖ２は、発光部８ａと連なるように設けられ、当該発光部８ａと略同一の厚さを有する。導光板８ｘは、発光部８ａと、傾斜部８ｃと、係合部８１ｘと、を備える。
【００５３】
係合部８１ｘは、光学シート７の係合部７１等と係合することで、導光板８ｘに対する光学シート７の位置ずれ防止を図る役割を有する。具体的には、係合部８１ｘは、突起状の第１の係合部８ｂｘと、上記した構成を有する突起状の複数の第２の係合部８ｄと、を有する。第１の係合部８ｂｘは、発光部８ａの外側の遮光領域Ｖ２であって、且つ外形辺（入光端面）８ｅａと対向する外形辺８ｅｃ側に設けられる。第３実施形態では、第１の係合部８ｂｘは、外形辺８ｅｃの略中央部に対応して設けられている。
【００５４】
この第３実施形態における移動規制手段は、導光板８ｘの係合部８１ｘ（突起状の第１の係合部８ｂｘ、及び上記した突起状の複数の第２の係合部８ｄ）と、それらに係合する光学シート７の凹状の係合部７１及び光学シート７の外形辺とにより構成される。具体的には、図示を省略するが、光学シート７は、その４つの外形辺のうち１つの外形辺８ｅの一部が導光板８ｘの第１の係合部８ｂｘに当接された状態で、且つ、導光板８ｘの各第２の係合部８ｄが光学シート７の各係合部７１に嵌め込まれた状態で、導光板８ｘの上に重ねて配置される。なお、この構成の場合、導光板８ｘにおいては、移動規制手段を構成する要素（即ち、突起状の第１の係合部８ｂｘ及び突起状の複数の第２の係合部８ｄ）は、その４つの外形辺のうち２辺側に対応して設けられている。
【００５５】
かかる構造により、例えば照明装置などを収容するフレームの有無に関わらず、また、導光板８ｘ及び光学シート７の各外形を大きくすることなく、導光板８ｘに対する光学シート７の平面方向への移動を規制することができる。その結果、導光板８ｘ及び光学シート７の各コストの増加等を招くことなく、導光板８ｘに対する光学シート７の位置ずれ防止を図ることができる。
【００５６】
[第４実施形態]
次に、図６を参照して、本発明の第４実施形態に係る導光板８ｙ及び光学シート７ｙの構成について説明する。なお、以下では、上記した第１実施形態に係る導光板８及び光学シート７と同一の要素については同一の符号を付し、その説明は適宜省略する。
【００５７】
図６（ａ）は、図３（ａ）に対応する、第４実施形態に係る導光板８ｙの平面図を示す。図６（ｂ）は、図４（ａ）に対応する、他の変形例に係る光学シート７ｙの平面図を示す。なお、図６（ｂ）では、光学シート７ｙにおいて、導光板８ｙの有効発光領域Ｖと重なる領域を一点鎖線にて示す。
【００５８】
上記した第１実施形態に係る導光板８と、第４実施形態に係る導光板８ｙとを比較した場合、上記した第１実施形態では、移動規制手段を構成する各第２の係合部８ｄが矩形状の平面形状を有しているのに対して、第４実施形態では、移動規制手段を構成する各第２の係合部８ｄは台形状の平面形状を有しており、両者はこの点が構成上異なり、それ以外は同様である。
【００５９】
この理由は次の通りである。即ち、導光板の入光端面８ｅａに配置される光源１０の数が増えると、これに伴って各光源１０からの光Ｌが出射される出射範囲外の領域の数も増える。そして、導光板の外形が一定の大きさで当該出射範囲外の領域の数が増えると、これに従い当該出射範囲外の領域の各々の大きさは小さくなる。
【００６０】
例えば、上記した第１実施形態では、導光板８において５つの出射範囲外の領域Ａ１〜Ａ５が形成されているのに対して、第４実施形態では、導光板８ｙにおいて６つの出射範囲外の領域Ａ１１〜Ａ１６が形成されている。そして、導光板８の入光端面８ｅａと導光板８ｙの入光端面８ｅａとが同一の長さであるとすると、出射範囲外の領域Ａ１１〜Ａ１６の各大きさは、出射範囲外の領域Ａ１〜Ａ５の各大きさと比べて夫々小さくなる。このように、出射範囲外の領域Ａ１１〜Ａ１６の各大きさが小さくなると、それだけ出射範囲外の領域Ａ１１〜Ａ１６内に対して移動規制手段を構成する各第２の係合部８ｄを配置し難くなる。なお、各第２の係合部８ｄを出射範囲外の領域に配置する理由は上述した通りである。もし、第４実施形態において、各第２の係合部８ｄを上記した第１実施形態と同一の大きさを有する矩形状の平面形状に形成した場合には、各第２の係合部８ｄが出射範囲外の領域Ａ１１〜Ａ１６からはみ出し、各第２の係合部８ｄが各光源１０から発光された光Ｌの一部を遮光してしまうことになる。そうすると、各光源１０から導光板内に導入される光Ｌの量が低減してしまうことになる。
【００６１】
そこで、第４実施形態では、図６（ａ）に示すように、各第２の係合部８ｄが出射範囲外の領域Ａ１１〜Ａ１６内のうち少なくとも１つの領域（本例では領域Ａ１２〜Ａ１５）に配置されるように台形状の平面形状とする。これにより、各光源１０から発光された光Ｌが各第２の係合部８ｄによって遮光されることを防止できる。その結果、各光源１０から導光板８ｙ内に導入される光Ｌの量が低減することを防止できる。
【００６２】
また、第４実施形態では、導光板８ｙの形状に合わせて、光学シート７ｙの外形辺７ｅの形状を変える。具体的には、光学シート７ｙの外形辺７ｅには、第２の係合部８ｄに嵌まり込む形状を有し、且つ光学シート７ｙの内側に窪む、移動規制手段を構成する複数の係合部７１ｘを形成する。この場合、光学シート７ｙは、その４つの外形辺のうち３つの外形辺が導光板８ｙの第１の係合部８ｂに当接された状態で、且つ、導光板８ｙの各第２の係合部８ｄが光学シート７の各係合部７１ｘに嵌め込まれた状態で、導光板８ｙの上に重ねて配置される。かかる構造により、例えば照明装置などを収容するフレームの有無に関わらず、また、導光板８ｙ及び光学シート７ｙの各外形を大きくすることなく、導光板８ｙに対する光学シート７ｙの平面方向への移動を規制することができる。その結果、導光板８ｙ及び光学シート７ｙの各コストの増加等を招くことなく、導光板８ｙに対する光学シート７ｙの位置ずれ防止を図ることができる。
【００６３】
[第５実施形態]
なお、本発明では、導光板に対する光学シートの位置ずれ防止を図る移動規制手段を、上記の導光板及び光学シートの両方に設ける構成や、上記の導光板のみに設ける構成だけに限定されない。即ち、本発明では、そのような移動規制手段を、光学シートだけに設けることとしても良い。
【００６４】
以下、かかる光学シートの構成例について、図７（ａ）を参照して説明する。図７（ａ）は、第５実施形態に係る光学シート７ｚの斜視図を示す。
【００６５】
光学シート７ｚは、例えば略矩形状の平面形状を有し、４つの外形辺（外端面）７ｅａ、７ｅｂ、７ｅｃ、７ｅｄを備える。ここで、４つの外形辺のうち１つの外形辺７ｅａは、光学シート７ｚと導光板８ｚの組立後において、光源１０が配置される導光板８ｚの入光端面８ｅａ側に配置される外形辺である。なお、以下では、光学シート７ｚの構成を説明するに当たり、光学シート７ｚの残りの３つの外形辺を、それぞれ外形辺７ｅａを基準に反時計回りに外形辺７ｅｂ、７ｅｃ、７ｅｄとする。
【００６６】
また、光学シート７ｚは、光制御部７ａと、係合部７１ｙと、を備える。
【００６７】
光制御部７ａは、略一定の厚さを有する板状の形状を有する。光制御部７ａは、後述の導光板８ｚ側から出射される面状の光Ｌを液晶表示パネル５０に向けて集光や拡散等させる機能を有し、導光板８ｚの上に重ねて配置される領域である。
【００６８】
係合部７１ｙは、第１の係合部７ｂと、複数の第２の係合部７ｄと、を備える。第１の係合部７ｂは、光制御部７ａの一方の面において、４つの外形辺のうち３つの外形辺７ｅｂ、７ｅｃ、７ｅｄから垂直方向に起立する壁状の形状を有する。各第２の係合部７ｄは、光制御部７ａの一方の面において、外形辺７ｅａから、第１の係合部７ｂの突出方向と同方向に突出する突起状の形状を有する。なお、本変形例では、光学シート７ｚに第２の係合部７ｄを複数設けているが、本発明では、光学シート７ｚに第２の係合部７ｄを１つだけ又は２つ以上設けることとしてもよい。係合部７１ｙは、導光板８ｚの４つの外形辺と係合することで、導光板８ｚに対する光学シート７ｚの位置ずれ防止を図る役割を有する。つまり、係合部７１ｙは、導光板８ｚに対する光学シート７ｚの移動を規制（逆の言い方をすれば、光学シート７ｚに対する導光板８ｚの移動を規制）する移動規制手段として機能する。
【００６９】
次に、図７（ｂ）を参照して、導光板８ｚと光学シート７ｚの取付構造について説明する。図７（ｂ）は、導光板８ｚと光学シート７ｚの取付方法を説明する斜視図を示す。図７（ｂ）に示す一点鎖線矢印は、導光板８ｚの上に光学シート７ｚを覆い被せて取り付ける際の、その両者の相対的な組み付け位置を示す補助線である。なお、図７（ｂ）では、図示を省略しているが、光学シート７ｚの導光板８ｚ側とは逆側（紙面上側）には液晶表示パネル５０が配置される。
【００７０】
導光板８ｚは、矩形状の平面形状を有し、係合部７１ｙにより囲まれる光制御部７ａの面と略同一の大きさを有する。導光板８ｚは、図示しない液晶表示パネル５０側から光学シート７ｚによって覆い被せられ収容される。具体的には、導光板８ｚは、光学シート７ｚの光制御部７ａと重ねられた状態で且つ導光板８ｚの４つの外形辺が第１の係合部７ｂ及び第２の係合部７ｄと当接させられた状態で光学シート７ｚによって覆い被せられ収容される。
【００７１】
かかる構成によれば、光学シート７ｚに設けられた移動規制手段としての係合部７１ｙにより、導光板８ｚの平面方向への移動が規制される。その結果、例えば照明装置などを収容するフレームの有無に関わらず、導光板８ｚと光学シート７ｚとの位置ずれ防止を図ることができる。なお、本発明では、導光板８ｚの入光端面８ｅａの形状を、光学シート７ｚの各第２の係合部７ｄと嵌り合う凹凸形状に形成するようにしてもよい。
【００７２】
なお、上記の第５実施形態に係る光学シート７ｚでは、移動規制手段は光学シート７ｚの４つの外形辺に設けられていたが、これに限らず、本発明では、移動規制手段は光学シート７ｚの４つの外形辺のうち少なくとも２つの外形辺側に対応して設けられていてもよい。また、本発明では、光学シート７ｚに設けられる移動規制手段も上記した形状及び構成に限定されない。
【００７３】
[第６実施形態]
なお、本発明では、導光板に対する光学シートの位置ずれ防止を図る移動規制手段は、別部材により構成されていても構わない。好適な例では、上記した移動規制手段は、導光板に固着された突起状または壁状の部材であることが好ましい。また、本発明では、上記した移動規制手段は、光源１０の発光側に配置されていても構わない。
【００７４】
このような構成例について、図８（ａ）及び（ｂ）を参照して説明する。以下では、上記した各種実施形態と同一の要素については同一の符号を付し、その説明は適宜省略する。
【００７５】
図８（ａ）は、図３（ａ）に対応する、導光板８ｓの構成を示す平面図である。なお、図８（ａ）では、導光板８ｓと別途独立の部材である移動規制部材８１ｓも図示することにしている。図８（ｂ）は、図２に対応する、第６実施形態に係る照明装置５１ｓを備える液晶装置２００の構成を示す断面図である。
【００７６】
照明装置５１ｓは、導光板８ｓと、有効発光領域Ｖ１と略同一の大きさを有する光学シート７ｘと、導光板８ｓと光学シート７ｘの間に設けられる移動規制部材８１ｓと、を備える。導光板８ｓは、発光部８ａと、傾斜部８ｃと、移動規制手段として機能する、上記した第１の係合部８ｂ（以下、便宜上「係合部８ｂ」と称する）と、を備える。移動規制部材８１ｓは、導光板８ｓ及び光学シート７ｘと別途独立の部材により形成され、有効発光領域Ｖ１の外側の領域Ｖ２であって、且つ各光源１０と対面する位置に設けられている。
【００７７】
以上の構成の下、第６実施形態では、光学シート７ｘの４つの外形辺が、導光板８ｓの係合部８ｂ及び各移動規制部材８１ｓに当接された状態で、導光板８ｓの発光部８ａに重ねて配置される。
【００７８】
これにより、導光板８ｓに対する光学シート７ｘの平面方向への移動が規制され、その両者の位置ずれ防止を図ることができる。つまり、第６実施形態では、導光板８ｓに対する光学シート７ｘの移動を規制する移動規制手段は、導光板８ｓの係合部８ｂと移動規制部材８１ｓとにより構成される。なお、第６実施形態に係る導光板８ｓに適用可能な光学シートは、光学シート７ｘに限定されず、例えば上記した光学シート７と同様に、略矩形状の平面形状を有し、且つ導光板８ｓの入光端面８ｅａ側に配置される外形辺（図示略）が各移動規制部材８１ｓに嵌り合う凹凸形状に形成されていてもよい。
【００７９】
ここで、各移動規制部材８１ｓが透光性を有する素材にて形成され、各光源１０と対面する位置に設けられている場合には次のような課題が生じ得る。即ち、この構成の場合、各光源１０から発光された光Ｌは、各移動規制部材８１ｓを通じて光学シート７ｘに導出又は出射されてしまい、光学シート７ｘの光学特性に悪影響を及ぼす虞がある。
【００８０】
そこで、第６実施形態では、各移動規制部材８１ｓは遮光性を有する部材（例えば黒色樹脂など）にて形成されていることが好ましい。これにより、遮光性を有する各移動規制部材８１ｓにより、各光源１０から発光された光Ｌが光学シート７ｘ側へ透過させるのを阻止できる。よって、光学シート７ｘの光学特性に悪影響を及ぼすことを防止でき、液晶装置２００の表示品位が低下することを防止できる。
【００８１】
なお、本発明では、各移動規制部材８１ｓは、遮光性を有する部材にて形成するのではなく、その代わりに、図８（ｃ）に示すように、各移動規制部材８１ｓは例えば透光性素材にて形成され、さらに各移動規制部材８１ｓと導光板８ｓの傾斜部８ｃとの境界面に光を反射させる反射層（例えばアルミニウム、銀など）９０を設けることとしても構わない。ここで、図８（ｃ）は、かかる構成例に係る液晶装置２００ａの断面図を示す。
【００８２】
反射層９０は、各光源１０から発光された光Ｌを、光学シート７ｘ側へ導出させることなく導光板８ｓ内に向けて反射させる機能を有する。好適な例では、反射層９０は、例えば蒸着法などにより、導光板８ｓと対面する各移動規制部材８１ｓの面、及び各移動規制部材８１ｓと重なり合う導光板８ｓの傾斜部８ｃの面のうち、少なくとも一方の面に形成することとしてもよい。これにより、各光源１０から反射層９０に向けて発光された光Ｌの一部は反射層９０にて反射され、導光板８ｓの内部へ戻される。よって、各光源１０から発光された光Ｌが光学シート７ｘ側に向けて導出又は出射されることを防止できる。その結果、光学シート７ｘの光学特性に悪影響を及ぼすことを防止でき、液晶装置２００ａの表示品位が低下することを防止できる。
【００８３】
なお、この構成に限らず、本発明では、各移動規制部材８１ｓは、遮光性を有する部材にて形成され、図８（ａ）において、有効発光領域Ｖ１の外側の領域Ｖ２であって、且つ導光板８ｓの入光端面８ｅａ側の傾斜部８ｃの全面と重なる位置（矩形状の破線領域Ｅ１の相当）に配置しても構わない。或いは、本発明では、透光性を有する各移動規制部材８１ｓと反射層９０との組み合わせ構造（図８（ｃ）に示す構造）を、有効発光領域Ｖ１の外側の領域Ｖ２であって、且つ導光板８ｓの入光端面８ｅａ側の傾斜部８ｃの全面と重なる位置（矩形状の破線領域Ｅ１の相当）に配置しても構わない。
【００８４】
これらの構成によっても、導光板８ｓに対する光学シート７ｘの位置ずれ防止を図ることができると共に、各光源１０から導光板８ｓ内に向けて光Ｌが出射された場合に、各移動規制部材８１ｓの存在によって光学シート７ｘの光学特性に悪影響を与えることを防止できる。
【００８５】
[電子機器]
次に、上記した各種の実施形態に係る導光板及び光学シートを有する照明装置５１等を備える液晶装置１００、２００、２００ａ等（以下、代表して「液晶装置１０００」と称する）を備える電子機器の具体例について図９を参照して説明する。
【００８６】
まず、本発明に係る液晶装置１０００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００８７】
続いて、本発明に係る液晶装置１０００を、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００８８】
なお、本発明に係る液晶装置１０００を適用可能な電子機器としては、図９（ａ）に示したパーソナルコンピュータや図９（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８９】
【図１】本発明の第１実施形態に係る液晶装置の分解斜視図。
【図２】図１の切断線Ａ−Ａ’に沿った液晶装置の組立て後の要部断面図。
【図３】第１実施形態に係る導光板の平面図及び各断面図。
【図４】第１及び第２実施形態に係る光学シートの各平面図。
【図５】第３実施形態に係る導光板の平面図及び各断面図。
【図６】第４実施形態に係る導光板及び光学シートの各平面図。
【図７】第５実施形態に係る導光板、及び導光板と光学シートの取付方法の各斜視図。
【図８】第６実施形態に係る導光板、移動規制部材等の平面図及び各種断面図。
【図９】本発明の液晶装置を備える電子機器の斜視図。
【符号の説明】
【００９０】
７、７ｓ、７ｘ、７ｙ、７ｚ  光学シート、  ８、８ｓ、８ｘ、８ｙ、８ｚ  導光板、  ８ａ  発光部、  ８ｂ、８ｂｘ  第１の係合部、  ８ｃ  傾斜部、  ８ｄ  第２の係合部、  ７ｅａ、７ｅｂ、７ｅｃ、７ｅｄ、８ｅａ、８ｅｂ、８ｅｃ、８ｅｄ  外形辺、  １０  光源、  ５０  液晶表示パネル、  ５１、５１ｘ、５１ｓ  照明装置、  ７１、７１ｘ、７１ｙ、８１、８１ｘ  係合部、  ８１ｓ  移動規制部材、  １００、２００、２００ａ、１０００  液晶装置
【図１】
0004930399.tif 000002
【図２】
0004930399.tif 000003
【図３】
0004930399.tif 000004
【図４】
0004930399.tif 000005
【図５】
0004930399.tif 000006
【図６】
0004930399.tif 000007
【図７】
0004930399.tif 000008
【図８】
0004930399.tif 000009
【図９】
0004930399.tif 000010